(57)【要約】【課題】データベースサーバおよび録画再生装置の両方の通信負荷が大きくなるのを抑制しながら録画データと近似する番組情報データを特定することが可能な録画再生装置を提供する。【解決手段】このＨＤＤレコーダ１（録画再生装置）は、テレビ番組の録画データを記憶するＨＤＤ１７と、複数のテレビ番組の特徴値データを含む番組情報データが保存されている外部のデータベースサーバ３と通信可能に構成されたＷＡＮポート１４と、ＷＡＮポート１４により受信された番組情報データの特徴値データとＨＤＤ１７に記憶されたテレビ番組の録画データとが近似するか否かを判断するＣＰＵ１１とを備える。【選択図】図１
2011009819.tif 000002
【特許請求の範囲】
【請求項１】
テレビ番組の録画データを記憶する記憶部と、
複数のテレビ番組の第１画像特徴値データを含む番組情報データが保存されている外部のデータベースサーバと通信可能に構成された通信部と、
前記通信部により受信された前記番組情報データの第１画像特徴値データと前記記憶部に記憶された前記テレビ番組の録画データとが近似するか否かを判断する制御部とを備える、録画再生装置。
【請求項２】
前記制御部は、前記録画データに含まれる画像データと前記番組情報データの第１画像特徴値データとの互いの色分布を対比することにより、前記番組情報データの第１画像特徴値データと前記録画データの画像データとが近似するか否かを判断するように構成されている、請求項１に記載の録画再生装置。
【請求項３】
前記制御部は、前記記憶部に記憶された前記録画データに含まれる所定の時間間隔ごとの前記画像データに基づいて第２画像特徴値データを抽出するとともに、少なくとも抽出された前記第２画像特徴値データと前記番組情報データの第１画像特徴値データとを繰り返し対比することにより、前記番組情報データの第１画像特徴値データと前記録画データの第２画像特徴値データとが近似するか否かを判断するように構成されている、請求項１または２に記載の録画再生装置。
【請求項４】
前記制御部は、前記録画データの画像データから複数の種類の色数ごとにそれぞれ前記第２画像特徴値データを抽出するように構成されており、前記複数の色数ごとの前記第２画像特徴値データと、前記複数の色数ごとの前記第２画像特徴値データのそれぞれに対応する前記番組情報データの第１画像特徴値データとが近似するか否かを判断するように構成されている、請求項３に記載の録画再生装置。
【請求項５】
前記複数の色数ごとの前記第２画像特徴値データは、所定の色数を有する第１色数データと前記第１色数データよりも小さい色数を有する第２色数データとを含み、
前記第２色数データと前記第２色数データに対応する前記第１画像特徴値データとを対比する際の重み付けの度合いは、前記第２色数データよりも大きい色数を有する前記第１色数データと前記第１色数データに対応する前記第１画像特徴値データとを対比する際の重み付けの度合いよりも小さい、請求項４に記載の録画再生装置。
【請求項６】
前記複数の色数ごとの前記第２画像特徴値データは、少なくとも所定の色数を有する第１色数データと前記第１色数データよりも小さい色数を有する第２色数データとを含み、
前記制御部は、前記第１色数データの色分布と前記第１色数データに対応する色数を有する前記第１画像特徴値データの色分布とが一致する割合が第１閾値を超えた場合に、前記番組情報データの第１画像特徴値データと前記録画データの画像データとが近似している判断を行うとともに、前記第２色数データの色分布と前記第２色数データに対応する色数を有する前記第１画像特徴値データの色分布とが一致する割合が前記第１閾値よりも大きい第２閾値を超えた場合に、前記番組情報データの第１画像特徴値データと前記録画データの画像データとが近似している判断を行うように構成されており、前記第１色数データおよび前記第２色数データに関して近似しているか否かのそれぞれの判断を総合して前記番組情報データの第１画像特徴値データと前記録画データの画像データとが近似するか否かを判断するように構成されている、請求項４または５に記載の録画再生装置。
【請求項７】
テレビ番組の録画データを記憶する記憶部と、外部と通信可能に構成された通信部と、前記通信部により受信された番組情報データの第１画像特徴値データと前記記憶部に記憶された前記テレビ番組の録画データとが近似するか否かを判断する制御部とを含む録画再生装置と、
前記録画再生装置に接続され、前記録画再生装置により判断された前記番組情報データの第１画像特徴値データと前記テレビ番組の録画データとが近似するか否かを判断した結果を表示可能な表示装置とを備える、番組情報提供システム。
【請求項８】
複数のテレビ番組の前記番組情報データが保存されており、前記録画再生装置の通信部を介して通信可能なデータベースサーバをさらに備える、請求項７に記載の番組情報提供システム。
【請求項９】
前記録画再生装置は、前記表示装置に表示され、前記記憶部に記憶された前記テレビ番組の録画データと対応する番組情報データを前記データベースサーバから検索する際の検索条件を受付可能な検索条件受付手段をさらに含む、請求項８に記載の番組情報提供システム。
【請求項１０】
前記録画再生装置の制御部は、前記ユーザの操作に基づいて、前記検索条件受付手段により受け付けされた検索条件に基づく前記テレビ番組の録画データと対応する番組情報データの検索が行われた場合に、前記通信部に対して、検索内容を前記データベースサーバに送信させるとともに、前記検索内容に対応する番組情報データを受信させるよう制御するように構成されている、請求項９に記載の番組情報提供システム。
【請求項１１】
前記データベースサーバには、複数の種類の色数ごとの前記番組情報データの第１画像特徴値データが保存されており、
前記録画再生装置の制御部は、前記複数の色数ごとの前記第１画像特徴値データと、前記複数の色数ごとの前記第１画像特徴値データのそれぞれに対応する前記テレビ番組の録画データに含まれる画像データの第２画像特徴値データとが近似するか否かを判断するように構成されている、請求項８〜１０のいずれか１項に記載の番組情報提供システム。
【発明の詳細な説明】
【技術分野】
【０００１】
この発明は、録画再生装置および番組情報提供システムに関し、特に、テレビ番組の録画データを記憶する記憶部を含む録画再生装置およびそれを備える番組情報提供システムに関する。
【背景技術】
【０００２】
従来、テレビ番組の録画データを記憶する記憶部を含む録画再生装置を備える番組情報提供システムが知られている（たとえば、特許文献１参照）。
【０００３】
上記特許文献１には、クライアント（録画再生装置）から送信された番組の録画データの全てを記憶する記録媒体（記憶部）と、送信された録画データの番組情報を特定するための画像データなどを記憶する番組情報データベースと、番組情報データベースに記憶された画像データと録画データのうち少なくとも１つ以上のフレームとを照合させることにより録画データの番組情報を特定する画像照合手段（制御部）とを含むサーバ（データベースサーバ）を備える番組情報提供システムが開示されている。上記特許文献１による番組情報提供システムでは、サーバ側の画像照合手段が複数のフレームが集合されることにより構成された動画データからなる録画データのフレームの１枚毎をクライアントから受信してサーバの番組情報データベースに記憶されている画像データと照合させ、録画データに番組情報データベースの画像データと一致するフレームがあった場合に、画像データと対応する番組であると判断するように構成されている。
【先行技術文献】
【特許文献】
【０００４】
【特許文献１】特開２００１−２３８１６２号公報
【発明の概要】
【発明が解決しようとする課題】
【０００５】
しかしながら、上記特許文献１に開示された番組情報提供システムでは、クライアント（録画再生装置）から送信された動画データからなる番組の録画データの全てをサーバ（データベースサーバ）が記憶する必要があるため、多くのクライアントから一度に大量の録画データがサーバに送信された場合に、サーバの通信負荷が大きくなるという問題点がある。また、サーバの画像照合手段により、録画データのフレームの１枚毎に順次クライアントからサーバに録画データを送信して番組情報データベースに記憶されている画像データと照合する必要があるため、サーバおよびクライアントの両方の通信負荷が大きくなるという問題点がある。
【０００６】
この発明は、上記のような課題を解決するためになされたものであり、この発明の１つの目的は、データベースサーバおよび録画再生装置の両方の通信負荷が大きくなるのを抑制しながら録画データと近似する番組情報データを特定することが可能な録画再生装置およびそれを備える番組情報提供システムを提供することである。
【課題を解決するための手段および発明の効果】
【０００７】
この発明の第１の局面による録画再生装置は、テレビ番組の録画データを記憶する記憶部と、複数のテレビ番組の第１画像特徴値データを含む番組情報データが保存されている外部のデータベースサーバと通信可能に構成された通信部と、通信部により受信された番組情報データの第１画像特徴値データと記憶部に記憶されたテレビ番組の録画データとが近似するか否かを判断する制御部とを備える。
【０００８】
この発明の第１の局面による録画再生装置では、上記のように、通信部により受信された番組情報データの第１画像特徴値データと記憶部に記憶されたテレビ番組の録画データとが近似するか否かを判断する制御部を設けることによって、録画再生装置側からデータベースサーバに動画データからなる録画データを送信する必要がないので、データベースサーバに多くのクライアントから録画データが送信されることがない。これにより、データベースサーバが大量の動画データからなる録画データを一度に受信することに起因して、データベースサーバの通信負荷が大きくなるのを抑制することができる。また、通信部により受信された番組情報データの第１画像特徴値データとテレビ番組の録画データとが近似するか否かを判断する制御部を録画再生装置に設けることによって、録画再生装置側で番組情報データの第１画像特徴値データとテレビ番組の録画データとが近似するか否かを判断することができるので、データベースサーバで番組情報データの第１画像特徴値データとテレビ番組の録画データとが近似するか否かを判断することがない。これにより、データベースサーバおよび録画再生装置間で頻繁に通信する必要がないので、データベースサーバおよび録画再生装置の両方の通信負荷が大きくなるのを抑制することができる。これらの結果、データベースサーバおよび録画再生装置の両方の通信負荷が大きくなるのを抑制しながら録画データと近似する番組情報データを特定することができる。
【０００９】
上記第１の局面による録画再生装置において、好ましくは、制御部は、録画データに含まれる画像データと番組情報データの第１画像特徴値データとの互いの色分布を対比することにより、番組情報データの第１画像特徴値データと録画データの画像データとが近似するか否かを判断するように構成されている。このように構成すれば、色分布を対比することにより、容易に、番組情報データの第１画像特徴値データと録画データの画像データとが近似するか否かを判断することができる。
【００１０】
上記第１の局面による録画再生装置において、好ましくは、制御部は、記憶部に記憶された録画データに含まれる所定の時間間隔ごとの画像データに基づいて第２画像特徴値データを抽出するとともに、少なくとも抽出された第２画像特徴値データと番組情報データの第１画像特徴値データとを繰り返し対比することにより、番組情報データの第１画像特徴値データと録画データの第２画像特徴値データとが近似するか否かを判断するように構成されている。このように構成すれば、録画データに含まれる画像データの全ての画面についての第２画像特徴値データと番組情報データの第１画像特徴値データとを繰り返し対比する場合と異なり、所定の時間間隔毎の画像データについての第２画像特徴値データと番組情報データの第１画像特徴値データとを対比するので、対比する回数を減らすことができる。これにより、制御部が受ける負担を抑制することができる。
【００１１】
上記第２画像特徴値データを抽出する制御部を備える録画再生装置において、好ましくは、制御部は、録画データの画像データから複数の種類の色数ごとにそれぞれ第２画像特徴値データを抽出するように構成されており、複数の色数ごとの第２画像特徴値データと、複数の色数ごとの第２画像特徴値データのそれぞれに対応する番組情報データの第１画像特徴値データとが近似するか否かを判断するように構成されている。このように構成すれば、１つの画面について複数の色数ごとの第２画像特徴値データのそれぞれと番組情報データの第１画像特徴値データとが近似するか否かを判断することにより、１つの画面について１つの第２画像特徴値データと第１画像特徴値データとが近似するか否かを判断する場合と比べて、正確に番組情報データの第１画像特徴値データと録画データの画像データとが近似するか否かを判断することができる。
【００１２】
上記複数の色数ごとの第２画像特徴値データを抽出する制御部を備える録画再生装置において、好ましくは、複数の色数ごとの第２画像特徴値データは、少なくとも所定の色数を有する第１色数データと第１色数データよりも小さい色数を有する第２色数データとを含み、第２色数データと第２色数データに対応する第１画像特徴値データとを対比する際の重み付けの度合いは、第２色数データよりも大きい色数を有する第１色数データと第１色数データに対応する第１画像特徴値データとを対比する際の重み付けの度合いよりも小さい。このように構成すれば、複数の色数を用いて判断する際に、大きい色数を有する第１色数データの方の重み付けが大きくされることにより、本来の画像に近い第１色数データの判断がより重視されるので、本来の録画状態と近い状態で番組情報データの第１画像特徴値データと録画データの画像データとが近似するか否かを判断することができる。
【００１３】
上記複数の色数ごとの第２画像特徴値データを抽出する制御部を備える録画再生装置において、好ましくは、複数の色数ごとの第２画像特徴値データは、少なくとも所定の色数を有する第１色数データと第１色数データよりも小さい色数を有する第２色数データとを含み、制御部は、第１色数データの色分布と第１色数データに対応する色数を有する第１画像特徴値データの色分布とが一致する割合が第１閾値を超えた場合に、番組情報データの第１画像特徴値データと録画データの画像データとが近似している判断を行うとともに、第２色数データの色分布と第２色数データに対応する色数を有する第１画像特徴値データの色分布とが一致する割合が第１閾値よりも大きい第２閾値を超えた場合に、番組情報データの第１画像特徴値データと録画データの画像データとが近似している判断を行うように構成されており、第１色数データおよび第２色数データに関して近似しているか否かのそれぞれの判断を総合して番組情報データの第１画像特徴値データと録画データの画像データとが近似するか否かを判断するように構成されている。このように構成すれば、本来の画像から色数を減らすことにより単純化した第２色数データの色分布と第１画像特徴値データの色分布とが一致するか否かを判断する際の規準となる割合である第２閾値を、本来の画像に近い大きい色数を有する第１色数データの色分布と第１画像特徴値データの色分布とが一致するか否かを判断する際の規準となる割合である第１閾値よりも大きくすることによって、本来の画像から色数を減らすことにより単純化した第２色数データの色分布と第１画像特徴値データの色分布とを対比する際の一致の判断基準を、本来の画像に近い大きい色数を有する第１色数データの色分布と第１画像特徴値データの色分布とを対比する場合と比べて高くすることができる。これにより、一致すると判断されやすい第２色数データの判断基準を一致すると判断され難い第１色数データの判断基準よりも高く（厳しく）設定することができるので、適正に番組情報データの第１画像特徴値データと録画データの画像データとが近似するか否かを判断することができる。
【００１４】
この発明の第２の局面による番組情報提供システムは、テレビ番組の録画データを記憶する記憶部と、外部と通信可能に構成された通信部と、通信部により受信された番組情報データの第１画像特徴値データと記憶部に記憶されたテレビ番組の録画データとが近似するか否かを判断する制御部とを含む録画再生装置と、録画再生装置に接続され、録画再生装置により判断された番組情報データの第１画像特徴値データとテレビ番組の録画データとが近似するか否かを判断した結果を表示可能な表示装置とを備える。
【００１５】
この発明の第２の局面による番組情報提供システムでは、上記のように、録画再生装置に、通信部により受信された番組情報データの第１画像特徴値データと記憶部に記憶されたテレビ番組の録画データとが近似するか否かを判断する制御部を設けることによって、録画再生装置側からデータベースサーバに動画データからなる録画データを送信する必要がないので、データベースサーバに多くのクライアントから録画データが送信されることがない。これにより、データベースサーバが大量の動画データからなる録画データを一度に受信することに起因して、データベースサーバの通信負荷が大きくなるのを抑制することができる。また、通信部により受信された番組情報データの第１画像特徴値データとテレビ番組の録画データとが近似するか否かを判断する制御部を録画再生装置に設けることによって、録画再生装置側で番組情報データの第１画像特徴値データとテレビ番組の録画データとが近似するか否かを判断することができるので、データベースサーバで番組情報データの第１画像特徴値データとテレビ番組の録画データとが近似するか否かを判断することがない。これにより、データベースサーバおよび録画再生装置間で頻繁に通信する必要がないので、データベースサーバおよび録画再生装置の両方の通信負荷が大きくなるのを抑制することができる。これらの結果、データベースサーバおよび録画再生装置の両方の通信負荷が大きくなるのを抑制しながら録画データと近似する番組情報データを特定することができる。
【００１６】
上記第２の局面による番組情報提供システムにおいて、好ましくは、複数のテレビ番組の番組情報データが保存されており、録画再生装置の通信部を介して通信可能なデータベースサーバをさらに備える。このように構成すれば、データベースサーバから番組情報データを録画再生装置に取得することにより、録画再生装置側で番組情報データの第１画像特徴値データとテレビ番組の録画データとが近似するか否かを判断可能な番組情報システムを得ることができる。
【００１７】
上記データベースサーバを備える番組情報提供システムにおいて、好ましくは、録画再生装置は、表示装置に表示され、記憶部に記憶されたテレビ番組の録画データと対応する番組情報データをデータベースサーバから検索する際の検索条件を受付可能な検索条件受付手段をさらに含む。このように構成すれば、表示装置に表示される検索条件受付手段により、ユーザは容易に検索条件を入力することができる。
【００１８】
この場合において、好ましくは、録画再生装置の制御部は、ユーザの操作に基づいて、検索条件受付手段により受け付けされた検索条件に基づくテレビ番組の録画データと対応する番組情報データの検索が行われた場合に、通信部に対して、検索内容をデータベースサーバに送信させるとともに、検索内容に対応する番組情報データを受信させるよう制御するように構成されている。このように構成すれば、ユーザにより入力された検索条件に基づいて検索された番組情報データの第１画像特徴値データと近似するテレビ番組の録画データを録画再生装置側で判別することができる。
【００１９】
上記データベースサーバを備える番組情報提供システムにおいて、好ましくは、データベースサーバには、複数の種類の色数ごとの番組情報データの第１画像特徴値データが保存されており、録画再生装置の制御部は、複数の色数ごとの第１画像特徴値データと、複数の色数ごとの第１画像特徴値データのそれぞれに対応するテレビ番組の録画データに含まれる画像データの第２画像特徴値データとが近似するか否かを判断するように構成されている。このように構成すれば、１つの画面について複数の色数ごとの第２画像特徴値データのそれぞれと番組情報データの第１画像特徴値データとが近似するか否かを判断することにより、１つの画面について１つの第２画像特徴値データと第１画像特徴値データとが近似するか否かを判断する場合と比べて、正確に番組情報データの第１画像特徴値データと録画データの画像データとが近似するか否かを判断することができる。
【図面の簡単な説明】
【００２０】
【図１】本発明の一実施形態による番組情報提供システムの構成を示したブロック図である。
【図２】図１に示した番組情報提供システムのテレビジョン装置に表示される検索画面を表した図である。
【図３】図１に示した番組情報提供システムのテレビジョン装置に表示される複数のサムネイル画像を表した図である。
【図４】図１に示した番組情報提供システムのテレビジョン装置に表示される複数のサムネイル画像のうちの１つを表した拡大図である。
【図５】図１に示した番組情報提供システムのテレビジョン装置に表示されるユーザ確認画面を表した図である。
【図６】図１に示した番組情報提供システムのＨＤＤに記憶されている録画データの番組情報を取得する際のＨＤＤレコーダのＣＰＵが実行する処理を説明するためのフローチャートである。
【図７】図１に示した番組情報提供システムのＨＤＤレコーダのＣＰＵにおいて実行されるデータ抽出処理を説明するためのフローチャートである。
【図８】図１に示した番組情報提供システムのＨＤＤレコーダのＣＰＵにおいて実行される特徴値データ抽出処理を説明するためのフローチャートである。
【図９】図１に示した番組情報提供システムのＨＤＤレコーダのＣＰＵにおいて実行されるデータ比較処理を説明するためのフローチャートである。
【図１０】図１に示した番組情報提供システムのデータベースサーバのＣＰＵにおいて実行される番組情報データ送信処理を説明するためのフローチャートである。
【発明を実施するための形態】
【００２１】
以下、本発明の実施形態を図面に基づいて説明する。
【００２２】
まず、図１〜図５を参照して、本発明の一実施形態による番組情報提供システム１００の構成について説明する。
【００２３】
本発明の一実施形態による番組情報提供システム１００は、図１に示すように、自宅に設置され、テレビ番組の録画および録画されたデータなどの再生が可能なＨＤＤレコーダ（ハードディスクドライブレコーダ）１と、ＨＤＤレコーダ１に接続され、録画されたデータの再生動画およびＨＤＤレコーダ１を操作する際の操作画面を表示可能なテレビジョン装置２と、自宅外に設けられ、複数のテレビ番組の番組情報データ３０が記憶されているデータベースサーバ３とを備えている。なお、ＨＤＤレコーダ１は、本発明の「録画再生装置」の一例であり、テレビジョン装置２は、本発明の「表示装置」の一例である。番組情報提供システム１００は、ＨＤＤレコーダ１により録画されたテレビ番組の録画データのタイトル名およびジャンルなどの番組情報が不明である場合に、ＨＤＤレコーダ１側におけるユーザの検索操作に基づいて、データベースサーバ３に保存されている番組情報データ３０をＨＤＤレコーダ１側に送信する機能を有する。また、本実施形態では、データベースサーバ３のクライアントとしてＨＤＤレコーダ１だけが番組情報提供システム１００に含まれているが、データベースサーバ３は、ＨＤＤレコーダ１以外の複数のＨＤＤレコーダ（クライアント）と接続可能に構成されている。
【００２４】
ＨＤＤレコーダ１は、ＨＤＤレコーダ１の制御を司るＣＰＵ１１と、書き換え可能なフラッシュメモリなどからなるＲＯＭ１２と、ＲＡＭ１３と、外部ネットワークと接続可能なＷＡＮ（Ｗｉｄｅ  Ａｒｅａ  Ｎｅｔｗｏｒｋ）ポート１４と、ローカルエリアネットワーク（ＬＡＮ）と接続可能なＬＡＮポート１５と、テレビジョン装置２と接続可能な映像インターフェース１６と、ユーザにより録画された複数のテレビ番組の録画データが書き込まれ、記憶されているＨＤＤ（ハードディスクドライブ）１７とを含んでいる。なお、ＣＰＵ１１は、本発明の「制御部」の一例であり、ＷＡＮポート１４は、本発明の「通信部」の一例である。また、ＨＤＤ１７は、本発明の「記憶部」の一例である。
【００２５】
ＨＤＤレコーダ１のＷＡＮポート１４は、インターネットなどの外部ネットワークを介して、複数のテレビ番組の番組情報データ３０が保存されているデータベースサーバ３と通信可能に構成されている。また、ＬＡＮポート１５には、ＨＤＤレコーダ１とは別個のＨＤＤレコーダ４が接続されている。また、映像インターフェース１６には、テレビジョン装置２が接続されており、ＨＤＤレコーダ１の操作時における操作画面および後述する検索時における検索画面をテレビジョン装置２に表示することが可能である。なお、本実施形態では、ＨＤＤレコーダ１が電子番組表（ＥＰＧ）機能を有しない場合について説明する。記憶されたテレビ番組の録画データ（たとえば、録画データ１７ａ）は、複数の画像データ（たとえば、画像データ１７ｂ（図４参照））からなる映像データと録画された際の日時データ１７ｃ（図４参照）とにより構成されている。なお、本実施形態のＨＤＤレコーダ１は、日時データ１７ｃなどの番組データが不明なＨＤＤレコーダ４の録画データについても、その録画データがＨＤＤレコーダ１のＨＤＤ１７に転送されることによって、後述するデータベースサーバ３から送信された特徴値データと、録画データとが近似するか否かを判断可能に構成されている。
【００２６】
また、ＣＰＵ１１は、ＨＤＤ１７に記憶されている映像データの画像データ（たとえば、画像データ１７ｂ）を取り出すとともに、取り出した画像データから複数の種類の特徴値データを抽出する機能を有する。特徴値データは、画像データの各画素の色がＲＧＢに分離され、Ｒ（Ｒｅｄ）、Ｇ（Ｇｒｅｅｎ）およびＢ（Ｂｌｕｅ）ごとの色階調の値が抽出されることにより取得される。そして、ＣＰＵ１１は、特徴値データとして、ＲＧＢ各々の色階調の色数が２５６色である２４ｂｉｔの特徴値データからＲＧＢ各々の色階調の色数が２色である２ｂｉｔの特徴値データまでの５種類の特徴値データ（２４ｂｉｔ、１６ｂｉｔ、８ｂｉｔ、４ｂｉｔおよび２ｂｉｔ）を抽出するように構成されている。なお、２４ｂｉｔの特徴値データは、本発明の「第２画像特徴値データ」および「第１色数データ」の一例であり、１６ｂｉｔ、８ｂｉｔ、４ｂｉｔおよび２ｂｉｔの特徴値データは、本発明の「第２画像特徴値データ」および「第２色数データ」の一例である。
【００２７】
ここで、本実施形態では、ＣＰＵ１１は、抽出した特徴値データ（画像データ）の色分布と、データベースサーバ３から送信される番組情報データ３０に含まれる特徴値データの色分布とを対比するように構成されている。そして、ＣＰＵ１１は、抽出した特徴値データ（画像データ）の色分布と、データベースサーバ３から送信された特徴値データの色分布とを対比することにより、データベースサーバ３から送信された特徴値データと抽出した特徴値データ（画像データ）とが近似するか否かを判断するように構成されている。すなわち、ＣＰＵ１１は、データベースサーバ３から送信された特徴値データとテレビ番組の録画データとが近似するか否かを判断するように構成されている。なお、番組情報データ３０に含まれる特徴値データは、本発明の「第２画像特徴値データ」の一例である。
【００２８】
また、本実施形態では、ＣＰＵ１１は、５種類の特徴値データ（２４ｂｉｔ、１６ｂｉｔ、８ｂｉｔ、４ｂｉｔおよび２ｂｉｔ）のそれぞれについてデータベースサーバ３から送信された番組情報データ３０の特徴値データと対比する制御を行うように構成されている。
【００２９】
また、本実施形態では、データベースサーバ３から送信された番組情報データ３０の特徴値データとテレビ番組の録画データとが近似するか否かを判断する際の重み付けの度合いは、データベースサーバ３から送信された番組情報データ３０の特徴値データと抽出した２４ｂｉｔの特徴値データとがある程度近似していると判断した場合が最も大きくなるように構成されている。
【００３０】
テレビジョン装置２は、上記ＨＤＤレコーダ１のＣＰＵ１１により判断されたデータベースサーバ３から送信された番組情報データ３０の特徴値データと、ＨＤＤ１７に記憶されているテレビ番組の録画データ（たとえば、録画データ１７ａ）とが近似するか否かを判断した結果を表示可能に構成されている。また、テレビジョン装置２は、図２に示すように、検索画面２ａを表示可能に構成されている。なお、検索画面２ａは、本発明の「検索条件受付手段」の一例である。
【００３１】
また、テレビジョン装置２は、図２に示すように、検索画面２ａを表示可能に構成されている。また、ＨＤＤレコーダ１は、ＨＤＤ１７に記憶されているテレビ番組の録画データ（たとえば、録画データ１７ａ）と対応する番組情報データ（たとえば、番組情報データ３０）をデータベースサーバ３から検索可能に構成されている。そして、ＨＤＤレコーダ１には、検索条件を受付可能な検索条件受付プログラムが設けられている。具体的には、検索したいテレビ番組の録画データ（たとえば、録画データ１７ａ）は、図３および図４に示すように、テレビジョン装置２に表示されている各録画データのサムネイル画像（図３参照）の「録画タイトル情報取得」アイコン１７ｄにより選択可能に構成されている。また、ＨＤＤレコーダ１の検索画面２ａは、チャンネルおよび検索したい番組の開始時間を図示しないリモコンなどにより入力可能に構成されている。そして、ＨＤＤレコーダ１のＣＰＵ１１は、ＷＡＮポート１４に対して、検索内容をデータベースサーバ３に送信させるとともに、検索内容に対応する番組情報データ３０（図１参照）を受信させるように制御するように構成されている。これにより、ＣＰＵ１１は、後述するように、受信した番組情報データ３０の特徴値データと、検索されたＨＤＤ１７に記憶されている録画データとが近似していると判断した場合に、図５に示すように、ユーザ確認画面２ｂをテレビジョン装置２に表示させるように構成されている。なお、「録画タイトル情報取得」アイコン１７ｄの下方には、「ＰＬＡＹ」アイコン１７ｅが設けられている。「ＰＬＡＹ」アイコン１７ｅは、各サムネイル画像（図３参照）に対応する録画データを再生するためのアイコンである。
【００３２】
データベースサーバ３は、図１に示すように、データベースサーバ３の制御を司るＣＰＵ３１と、複数のテレビ番組の番組情報データ３０を保存するＨＤＤ（ハードディスクドライブ）３２と、上記ＨＤＤレコーダ１を含む複数のクライアントと通信可能なＷＡＮ（Ｗｉｄｅ  Ａｒｅａ  Ｎｅｔｗｏｒｋ）ポート３３とを含んでいる。データベースサーバ３のＨＤＤ３２には、予め複数の種類の色数ごとの番組情報データ３０の特徴値データが保存されている。また、ＷＡＮポート１４を介して、ＨＤＤレコーダ１の検索内容に応じて検索内容に対応する番組情報データ３０がＨＤＤレコーダ１に送信されるように構成されている。
【００３３】
次に、図１および図３〜図９を参照して、本実施形態によるＨＤＤ１７に記憶されている録画データの番組情報を取得する際のＨＤＤレコーダ１のＣＰＵ１１が実行する処理フローについて説明する。
【００３４】
まず、図６に示すように、ステップＳ１において、ＣＰＵ１１（図１参照）により、番組情報を取得したい録画データが選択されたか否かが判断される。具体的には、テレビジョン装置２に表示されている各録画データのうち、番組情報を取得したいサムネイル画像（図３参照）の「録画タイトル情報取得」アイコン（図４参照）が選択されたか否かが判断される。そして、いずれかの「録画タイトル情報取得」アイコンが選択されるまで、ステップＳ１の判断が繰り返される。そして、ステップＳ２において、ユーザにより番組情報を取得したい録画データの画像データが読み込まれ、ステップＳ３に進む。
【００３５】
その後、ステップＳ３において、番組情報を取得したい録画データに基づいて特徴値データを抽出するデータ抽出処理が行われる。
【００３６】
ここで、図１、図３、図４、図６および図７を参照して、ステップＳ３のデータ抽出処理の詳細を説明する。
【００３７】
まず、図７に示すように、ステップＳ２１において、ＣＰＵ１１（図１参照）により、上記ステップＳ２（図６参照）において読み込まれた録画データの録画日時データ（日時データ１７ｃ（図３および図４参照））が抽出される。そして、ステップＳ２２において、録画データの映像データから画像データ（画像データ１７ｂ）が取り出される。なお、ステップＳ２２では、取り出される画像データは、２４ｂｉｔフルカラーの画像が抽出される。
【００３８】
その後、ステップＳ２３において、画像データ（画像データ１７ｂ）から特徴値データが抽出される。そして、ステップＳ２３の特徴値データ抽出処理が終了した後、ステップＳ２４において、ステップＳ２１の処理により抽出された日時データ（日時データ１７ｃ）およびステップＳ２３の処理により抽出された特徴値データがＲＯＭ１２に保存され、上記図６のステップＳ４に戻る。
【００３９】
ここで、上記ステップＳ２３の特徴値データ抽出処理としては、まず、図８に示すように、ステップＳ３１において、ＣＰＵ１１（図１参照）により、画素値格納変数「ＧＡＳＯ２４（１０２４×７６８）」、「ＧＡＳＯ１６（１０２４×７６８）」、「ＧＡＳＯ０８（１０２４×７６８）」、「ＧＡＳＯ０４（１０２４×７６８）」および「ＧＡＳＯ０２（１０２４×７６８）」が生成される。これら画素値格納変数は、それぞれ、後述するステップにおいて５種類の特徴値データが画像データから抽出された際における各画素に対応する数値を保存するスペースである。
【００４０】
そして、ステップＳ３２において、２４ｂｉｔの特徴値データが画素値格納変数「ＧＡＳＯ２４（１０２４×７６８）」に格納される。その後、ステップＳ３３において、２４ｂｉｔの特徴値データが１６ｂｉｔの特徴値データにダウンコンバートされる。
【００４１】
そして、ステップＳ３４において、１６ｂｉｔの特徴値データが画素値格納変数「ＧＡＳＯ１６（１０２４×７６８）」に格納される。その後、ステップＳ３５において、２４ｂｉｔの特徴値データが８ｂｉｔの特徴値データにダウンコンバートされる。
【００４２】
そして、ステップＳ３６において、８ｂｉｔの特徴値データが画素値格納変数「ＧＡＳＯ０８（１０２４×７６８）」に格納される。その後、ステップＳ３７において、２４ｂｉｔの特徴値データが４ｂｉｔの特徴値データにダウンコンバートされる。
【００４３】
そして、ステップＳ３８において、４ｂｉｔの特徴値データが画素値格納変数「ＧＡＳＯ０４（１０２４×７６８）」に格納される。その後、ステップＳ３９において、２４ｂｉｔの特徴値データが２ｂｉｔの特徴値データにダウンコンバートされる。
【００４４】
そして、ステップＳ４０において、２ｂｉｔの特徴値データが画素値格納変数「ＧＡＳＯ０２（１０２４×７６８）」に格納され、特徴値データ抽出処理が終了する。
【００４５】
ステップＳ３のデータ抽出処理が終了した後、ステップＳ４において、検索内容をデータベースサーバ３に送信するための検索データ（送信データ）生成処理が行われる。具体的には、ステップＳ３において抽出された日時データ１７ｃ（図４参照）から送信データが生成され、検索画面２ａが生成される。このように検索画面２ａを生成することによって、ユーザによりチャンネル（図２参照）および開始時間（図２参照）を入力させることが可能となるとともに、実行アイコン（図２参照）を選択させることが可能となる。そして、ステップＳ５において、ＷＡＮポート１４を介して、データベースサーバ３に検索データ（送信データ）が送信される。
【００４６】
その後、ステップＳ６において、データベースサーバ３から送信される番組情報データ（たとえば番組情報データ３０）が受信されたか否かが判断される。
【００４７】
ステップＳ６において、データベースサーバ３から送信される番組情報データ（たとえば番組情報データ３０）が受信されていないと判断された場合には、ステップＳ７に進む。そして、ステップＳ７において、データベースサーバ３から送信される番組情報データが受信されない期間が所定時間を超えたか否かが判断される。そして、受信されない期間が所定時間を超えていないと判断された場合には、ステップＳ６に戻る。また、ステップＳ７において、受信されない期間が所定時間を超えたと判断された場合には、ステップＳ８に進む。そして、ステップＳ８において、検索データ（送信データ）を送信したデータベースサーバ３からの返信がなかった旨をテレビジョン装置２に表示して処理が終了される。
【００４８】
また、ステップＳ６において、データベースサーバ３から送信される番組情報データ（たとえば番組情報データ３０）が受信されたと判断された場合には、ステップＳ９に進む。そして、ステップＳ９において、受信した番組情報データ（番組情報データ３０）の特徴値データと、検索されたＨＤＤ１７に記憶されている録画データとが近似しているか否かを判断するためのデータ比較処理が行われる。
【００４９】
ここで、図１、図６および図９を参照して、ステップＳ９のデータ比較処理の処理フローを詳細に説明する。本実施形態では、ＣＰＵ１１は、データ量の大きい２４ｂｉｔの特徴値データ同士を対比する際には、全画素の色分布について７０％以上が一致した場合に、データベースサーバ３から送信された番組情報データ３０の特徴値データと抽出した２４ｂｉｔの特徴値データとが近似していると判断する。また、ＣＰＵ１１は、データ量の小さい２ｂｉｔの特徴値データ同士を対比する際には、全画素の色分布について９５％以上が一致した場合に、データベースサーバ３から送信された番組情報データ３０の特徴値データと抽出した２ｂｉｔの特徴値データとが近似していると判断する。同様に、１６ｂｉｔ、８ｂｉｔおよび４ｂｉｔの場合には、それぞれ、９０％以上、８０％以上および７５％以上全画素の色分布が一致した場合に特徴値データが近似していると判断される。つまり、特徴値データのｂｉｔ数が小さくなるほど互いの画素の色分布が一致すると判断される割合（閾値）を大きくしている。これは、ｂｉｔ数が小さいほど本来の画像データが単純化されて一致すると判断されやすいため、ｂｉｔ数が大きい特徴値データを用いた場合よりも相対的に判断基準を厳しくするようにしたものである。なお、２４ｂｉｔの特徴値データ同士を対比する際の全画素の色分布の一致割合７０％は、本発明の「第１閾値」の一例であり、２ｂｉｔの特徴値データ同士を対比する際の全画素の色分布の一致割合９５％は、本発明の「第２閾値」の一例である。
【００５０】
また、本実施形態では、ＣＰＵ１１は、データベースサーバ３から送信された番組情報データ３０の特徴値データと抽出した特徴値データとが近似していると判断した場合に、ＲＯＭ１２の所定の判断基準式に各ｂｉｔ毎に所定のポイント数を加算するように構成されている。すなわち、２ｂｉｔ、４ｂｉｔ、８ｂｉｔ、１６ｂｉｔおよび２４ｂｉｔの場合に、それぞれ、所定の判断基準式に、０．２ポイント、０．３ポイント、０．３ポイント、０．４ポイントおよび０．６ポイントを加算することにより、ｂｉｔ数が多くなるにしたがって、ポイント数（重み付け）が大きくなるように構成されている。そして、ＣＰＵ１１は、上記所定の基準式の合計が１．０を超えた場合に、データベースサーバ３から送信された番組情報データ３０の特徴値データとテレビ番組の録画データとが近似すると判断するように構成されている。なお、ＣＰＵ１１は、データベースサーバ３から送信された番組情報データ３０の特徴値データと抽出した２ｂｉｔの特徴値データとが近似していると判断しない場合に、ＲＯＭ１２の所定の判断基準式に０．５ポイント減算するように構成されている。また、ＲＯＭ１２の所定の判断基準式に加減算されるポイントは、本発明の「重み付け」の一例である。
【００５１】
以下、データ比較処理フローの詳細を説明する。まず、図９に示すように、ステップＳ５１において、ＣＰＵ１１（図１参照）により、ＲＯＭ１２の所定の判断基準式がリセットされ、ステップＳ５２に進む。そして、ステップＳ５２において、データベースサーバ３から送信された特徴値データ（２ｂｉｔ）と、上記ステップＳ３（図６参照）またはステップＳ１２（図６参照）において抽出された特徴値データ（２ｂｉｔ）とが対比され、全画素の色が互いに９５％以上合致していれば、所定の判断基準式に０．２ポイントが加算される。また、全画素の色が互いに９５％未満の合致であれば、所定の判断基準式から０．５ポイントが減算される。
【００５２】
そして、ステップＳ５３において、データベースサーバ３から送信された特徴値データ（４ｂｉｔ）と、上記ステップＳ３（図６参照）またはステップＳ１２（図６参照）において抽出された特徴値データ（４ｂｉｔ）とが対比され、全画素の色が互いに９０％以上合致していれば、所定の判断基準式に０．３ポイントが加算される。
【００５３】
その後、ステップＳ５４において、データベースサーバ３から送信された特徴値データ（８ｂｉｔ）と、上記ステップＳ３（図６参照）またはステップＳ１２（図６参照）において抽出された特徴値データ（８ｂｉｔ）とが対比され、全画素の色が互いに８０％以上合致していれば、所定の判断基準式に０．３ポイントが加算される。
【００５４】
そして、ステップＳ５５において、データベースサーバ３から送信された特徴値データ（１６ｂｉｔ）と、上記ステップＳ３（図６参照）またはステップＳ１２（図６参照）において抽出された特徴値データ（１６ｂｉｔ）とが対比され、全画素の色が互いに７５％以上合致していれば、所定の判断基準式に０．４ポイントが加算される。
【００５５】
その後、ステップＳ５６において、データベースサーバ３から送信された特徴値データ（２４ｂｉｔ）と、上記ステップＳ３（図６参照）またはステップＳ１２（図６参照）において抽出された特徴値データ（２４ｂｉｔ）とが対比され、全画素の色が互いに７０％以上合致していれば、所定の判断基準式に０．６ポイントが加算される。
【００５６】
そして、ステップＳ５７において、上記ステップＳ５２〜ステップＳ５６において行われる加減算の結果、所定の判断基準式の値（ＲＥＳＵＬＴ）が１よりも大きいか否かが判断される。そして、ステップＳ５７において、所定の判断基準式の値（ＲＥＳＵＬＴ）が１よりも大きいと判断された場合には、ステップＳ５８に進み、ステップＳ５８において、受信した番組情報データ（番組情報データ３０）の特徴値データと、検索されたＨＤＤ１７に記憶されている録画データとが近似していると判断され、上記図６のステップＳ９に戻る。また、ステップＳ５７において、所定の判断基準式の値（ＲＥＳＵＬＴ）が１よりも大きいと判断されなかった場合には、ステップＳ５９に進み、ステップＳ５９において、受信した番組情報データ（番組情報データ３０）の特徴値データと、検索されたＨＤＤ１７に記憶されている録画データとが近似していないと判断され、上記図６のステップＳ１０に戻る。
【００５７】
その後、ステップＳ１０において、受信した番組情報データ（番組情報データ３０）の特徴値データと、検索されたＨＤＤ１７に記憶されている録画データとが近似していたか否かが判断される。
【００５８】
ステップＳ１０において、受信した番組情報データ（番組情報データ３０）の特徴値データと、検索されたＨＤＤ１７に記憶されている録画データとが近似していないと判断された場合には、ステップＳ１１に進む。その後、ステップＳ１１において、データベースサーバ３から送信された番組情報データがデータ比較処理を行った番組情報データ以外にあるか否かが判断される。そして、ステップＳ１１において、データベースサーバ３から送信された番組情報データがデータ比較処理を行った番組情報データ以外にあると判断された場合には、ステップＳ１２に進む。
【００５９】
そして、ステップＳ１２において、上記ステップＳ３と同様に、番組情報を取得したい録画データに基づいて特徴値データを抽出するデータ抽出処理が再度行われ、ステップＳ９に戻る。なお、本実施形態では、ステップＳ１２においては、前回に抽出した特徴値データの元となる画像データの１秒後の画像データに対応する特徴値データが抽出される。すなわち、録画データに含まれる画像データの全ての画面についての特徴値データと受信した番組情報データの特徴値データとを対比する場合、膨大なデータ量を処理する必要があるので、処理するデータ量を減少させるために、全画面ではなく、１秒間隔で、番組情報データの特徴値データと抽出された特徴値データとが繰り返し対比される。なお、この場合において、本実施形態では、録画データの最初の約１０分間の約１秒ごとに抽出された特徴値データと、番組情報データの特徴値データとが対比される。また、ステップＳ１１において、データベースサーバ３から送信された番組情報データがデータ比較処理を行った番組情報データ以外にないと判断された場合には、ステップＳ１３に進む。そして、ステップＳ１３において、検索されたＨＤＤ１７に記憶されている録画データに対応する番組情報データが見つからなかった旨をテレビジョン装置２に表示させるように制御され、処理が終了される。
【００６０】
また、ステップＳ１０において、受信した番組情報データ（番組情報データ３０）の特徴値データと、検索されたＨＤＤ１７に記憶されている録画データとが近似していると判断された場合には、ステップＳ１４に進む。そして、ステップＳ１４において、ユーザ確認画面２ｂ（図５参照）がテレビジョン装置２に表示され、ステップＳ１５に進む。その後、ステップＳ１５において、録画データと近似していると判断された番組情報データ（番組情報データ３０）がユーザが検索したかったテレビ番組であり、ユーザ確認画面２ｂの「ＯＫ」アイコン（図５参照）が選択されたか否かが判断される。すなわち、番組情報データ（番組情報データ３０）を保存するとユーザにより選択されたか否かが判断される。
【００６１】
そして、ステップＳ１５において、番組情報データ（番組情報データ３０）を保存するとユーザにより選択されなかったと判断された場合（「キャンセル」アイコン（図５参照）が選択されたと判断された場合）には、処理が終了される。また、ステップＳ１５において、番組情報データ（番組情報データ３０）を保存するとユーザにより選択されたと判断された場合には、ステップＳ１６に進む。そして、ステップＳ１６において、データベースサーバ３により送信された番組情報データ（番組情報データ３０）がＨＤＤ１７に保存され、処理が終了される。
【００６２】
次に、図１および図１０を参照して、データベースサーバ３のＣＰＵ３１において実行される番組情報データ送信処理の処理フローを詳細に説明する。
【００６３】
まず、図１０に示すように、ステップＳ６１において、ＣＰＵ３１（図１参照）により、上記ＨＤＤレコーダ（ＨＤＤレコーダ１）から送信された送信データが受信されたか否かが判断される。そして、ステップＳ６１において、送信データが受信されていないと判断された場合には、ＣＰＵ３１による処理が終了される。また、ステップＳ６１において、送信データが受信されたと判断された場合には、ステップＳ６２に進む。
【００６４】
そして、ステップＳ６２において、ＨＤＤ３２に記憶されている複数の番組情報データから適切な番組情報データ（番組情報データ３０ａ）が選択される。なお、選択される番組情報データは、１つとは限らず、複数の番組情報データが選択される場合がある。その後、ステップＳ６３において、選択された番組情報データがＷＡＮポート３３を介して送信され、ＣＰＵ３１による処理が終了される。
【００６５】
本実施形態では、上記のように、ＷＡＮポート１４により受信された番組情報データの画像の特徴値データとテレビ番組の録画データとが近似するか否かを判断するＣＰＵ１１を設けることによって、ＨＤＤレコーダ１側からデータベースサーバ３に動画データからなる録画データを送信する必要がないので、データベースサーバ３に多くのクライアントから録画データが送信されることがない。これにより、データベースサーバ３が大量の動画データからなる録画データを一度に受信することに起因して、データベースサーバ３の通信負荷が大きくなるのを抑制することができる。また、ＷＡＮポート１４により受信された番組情報データの特徴値データとテレビ番組の録画データとが近似するか否かを判断するＣＰＵ１１をＨＤＤレコーダ１に設けることによって、ＨＤＤレコーダ１側で番組情報データの特徴値データとテレビ番組の録画データとが近似するか否かを判断することができるので、データベースサーバ３で番組情報データの特徴値データとテレビ番組の録画データとが近似するか否かを判断することがない。これにより、データベースサーバ３およびＨＤＤレコーダ１間で頻繁に通信する必要がないので、データベースサーバ３およびＨＤＤレコーダ１の両方の通信負荷が大きくなるのを抑制することができる。これらの結果、データベースサーバ３およびＨＤＤレコーダ１の両方の通信負荷が大きくなるのを抑制しながら録画データと近似する番組情報データを特定することができる。
【００６６】
また、本実施形態では、上記のように、ＣＰＵ１１を、録画データに含まれる所定の時間間隔（約１秒）ごとの画像データに基づいて画像の特徴値データを抽出するとともに、抽出された画像の特徴値データと番組情報データの特徴値データとを少なくとも繰り返し対比することにより、番組情報データの特徴値データと録画データの特徴値データとが近似するか否かを判断するように構成することによって、録画データに含まれる画像データの全ての画面についての特徴値データと番組情報データの特徴値データとを繰り返し対比する場合と異なり、所定の時間間隔（約１分）毎の画像データについての特徴値データと番組情報データの特徴値データとを対比するので、対比する回数を減らすことができる。これにより、ＣＰＵ１１が受ける負担を抑制することができる。
【００６７】
また、本実施形態では、上記のように、特徴値データ（２ｂｉｔ）同士を対比する際の重み付けの度合いを、特徴値データ（２ｂｉｔ）よりも大きい色数を有する特徴値データ（２４ｂｉｔ）同士を対比する際の重み付けの度合いよりも小さくすることによって、複数の色数を用いて判断する際に、大きい色数を有する特徴値データ（２４ｂｉｔ）の方の重み付けが大きくされることにより、本来の画像に近い特徴値データ（２４ｂｉｔ）の判断がより重視されるので、本来の録画状態と近い状態で番組情報データの特徴値データ（２４ｂｉｔ）と録画データの画像データとが近似するか否かを判断することができる。
【００６８】
また、本実施形態では、上記のように、ＨＤＤレコーダ１に、テレビジョン装置２に表示され、ＨＤＤ１７に記憶されたテレビ番組の録画データと対応する番組情報データをデータベースサーバ３から検索する際の検索条件を受付可能に構成することによって、テレビジョン装置２に表示される検索画面２ａにより、ユーザは容易に検索条件を入力することができる。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７０】
たとえば、上記実施形態では、本発明の録画再生装置の一例としてＨＤＤレコーダに本発明を適用した例について示したが、本発明はこれに限らず、たとえば、録画データをＨＤＤ以外のフラッシュメモリに保存させるレコーダ装置など、外部とインターネット接続可能な録画再生装置であれば、ＨＤＤレコーダ以外のＤＶＤレコーダやＢｌｕ−Ｒａｙレコーダなどの録画再生装置に本発明を適用してもよい。
【００７１】
また、上記実施形態では、ＨＤＤレコーダのＣＰＵを、データベースサーバから送信された１つの画像と対応する特徴値データと、録画データから抽出された特徴値データとを対比することによりデータベースサーバから送信された番組情報データと録画データとが近似しているか否かを判断するように構成した例について示したが、本発明はこれに限らず、データベースサーバから送信された複数の画像のそれぞれと対応する特徴値データと、録画データから抽出された特徴値データとを対比することによりデータベースサーバから送信された番組情報データと録画データとが近似しているか否かを判断するように構成してもよい。
【００７２】
また、上記実施形態では、録画データから特徴値データを抽出する処理を、ユーザにより「録画タイトル情報取得」アイコンが選択された後に実行する例について示したが、本発明はこれに限らず、たとえば、録画データの録画時に予め特徴値データを抽出するなど、ユーザにより「録画タイトル情報取得」アイコンが選択される前に録画データから特徴値データを抽出してもよい。
【００７３】
また、上記実施形態では、検索画面を、番組開始時の時間を入力可能に構成した例について示したが、本発明はこれに限らず、録画データの録画日時データに基づいて自動的に番組開始時の時間が入力されるように構成してもよい。
【００７４】
また、上記実施形態では、検索画面を、番組開始時の時間入力欄を１つのみ設けることにより、１つの定まった番組開始時の時間を入力可能に構成した例について示したが、本発明はこれに限らず、番組開始時の時間が不明である場合にも、検索画面の番組開始時の時間を何時〜何時というように時間の入力欄を複数設けることにより、複数の時間入力欄に思い当たる番組開始時の時間を入力可能に構成してもよい。これにより、あいまいな条件に合致する複数の番組情報データをデータベースサーバから受信することができるので、それぞれの番組情報データと録画データとが近似しているか否かを判断することができる。
【００７５】
また、上記実施形態では、ＨＤＤレコーダのＣＰＵを、録画データの画像データから２ｂｉｔ、４ｂｉｔ、８ｂｉｔ、１６ｂｉｔおよび２４ｂｉｔの５種類の特徴値データを抽出するとともに、それぞれに対応する番組情報データの特徴値データと対比するように構成した例について示したが、本発明はこれに限らず、たとえば、２ｂｉｔおよび２４ｂｉｔの２種類の特徴値データを抽出するとともに、それぞれに対応する番組情報データの特徴値データと対比するなど、全ての種類の特徴値データを対比するように構成しなくてもよい。
【００７６】
また、上記実施形態では、ＨＤＤレコーダが電子番組表（ＥＰＧ）機能を有しない例について説明したが、本発明はこれに限らず、ＨＤＤレコーダが電子番組表（ＥＰＧ）機能を有していてもよい。ＨＤＤレコーダが電子番組表（ＥＰＧ）機能を有する場合にも、ＥＰＧ機能を用いずに録画した場合には本発明が有効である。
【符号の説明】
【００７７】
１  ＨＤＤレコーダ（録画再生装置）
２  テレビジョン装置（表示装置）
２ａ  検索画面（検索条件受付手段）
３  データベースサーバ
１１  ＣＰＵ（制御部）
１４  ＷＡＮポート（通信部）
１７  ＨＤＤ（記憶部）
１００  番組情報提供システム
【図１】
2011009819.tif 000003
【図２】
2011009819.tif 000004
【図３】
2011009819.tif 000005
【図４】
2011009819.tif 000006
【図５】
2011009819.tif 000007
【図６】
2011009819.tif 000008
【図７】
2011009819.tif 000009
【図８】
2011009819.tif 000010
【図９】
2011009819.tif 000011
【図１０】
2011009819.tif 000012